(57)【要約】【課題】  ＬＰガスが充填された容器等を火気から遮るための隔壁パネルにおいて、強風に対して強固に固定でき、確実にガスの漏洩を防ぐことができる隔壁パネルを提供する。【解決手段】  ＬＰガス容器等Ｂの設置箇所の地面に載置する載置土台１を設け、ＬＰガス容器等Ｂを載置土台１の上に常時載せ置き、載置土台１の火気を遮る側に相当する端部から垂直方向に側隔壁パネル10を設け、載置土台１と側隔壁パネル10をガスの漏洩を防ぐことができる程度に密着させて固定した。【選択図】図１
2010175069.tif 000002
【特許請求の範囲】
【請求項１】
ＬＰガス容器等の設置箇所の地面に載置する載置土台を設け、載置土台は所要数のＬＰガス容器等をその上に載せ置くことができる大きさで水平方向に広いものであり、ＬＰガス容器等を載置土台の上に常時載せ置き、載置土台の火気を遮る側に相当する端部から垂直方向に側隔壁パネルを設け、載置土台と側隔壁パネルをガスの漏洩を防ぐことができる程度に密着させて固定したＬＰガス容器等の隔壁パネル。
【請求項２】
側隔壁パネルの高さはＬＰガス容器等の高さとほぼ同一以上とし、側隔壁パネルの幅はＬＰガス容器等の直径以上とし、側隔壁パネルの上方で建物の壁面側に壁面取付金具を設け、壁面取付金具を建物の壁面に固定して側隔壁パネルと建物の壁面との隙間を一定に保つようにした請求項１記載のＬＰガス容器等の隔壁パネル。
【請求項３】
載置土台の建物の壁面側とは反対側から垂直方向に着脱自在な前隔壁パネルを設け、載置土台および側隔壁パネルと前隔壁パネルをガスの漏洩を防ぐことができる程度に密着させて固定した請求項１または２記載のＬＰガス容器等の隔壁パネル。
【請求項４】
側隔壁パネルおよび前隔壁パネルの上端部から水平方向に着脱自在な屋根隔壁パネルを設け、側隔壁パネルおよび前隔壁パネルと屋根隔壁パネルをガスの漏洩を防ぐことができる程度に密着させて固定し、屋根隔壁パネルと建物の壁面との隙間を一定に保つようにした請求項３記載のＬＰガス容器等の隔壁パネル。
【発明の詳細な説明】
【技術分野】
【０００１】
本発明は、ＬＰガスが充填された容器等を風呂釜等の火気から遮るための隔壁パネルに関する。
【背景技術】
【０００２】
屋外に設置するＬＰガス（液化石油ガス）容器等では、「液化石油ガスの保安の確保及び取引の適正化に関する法律施行規則」の省令により「容器を置く位置から二メートル以内にある火気をさえぎる措置を講じる」ことが義務付けられている。
【０００３】
この火気とは、風呂釜や電気設備などの炎や火花、あるいは高熱を発生したり、発生する恐れがあるもので、車両等も含まれる。
【０００４】
このような、二メートル以内にあるＬＰガスが充填された容器等を火気から遮るための措置として、火気の熱が容器に影響を及ぼさないよう、かつ容器から漏洩したガスが火気のほうへ流れないようにする隔壁パネルにより、二メートル以上の火気との迂回距離を取れるようにして漏洩の危険に対処したものが知られている。
【０００５】
例えば、特開平６−２１２７１５号公報に示されるように、ＬＰガスが充填されたガスボンベの設置箇所と火器の設置箇所との間に設けられるパネルであって、パネル本体の固定すべき壁面側の端部と設置面側の端部から、該壁面と該設置面に接当させる薄板状の弾性部材を延出させたものである。
【０００６】
また、同規則には「充てん容器等には、湿気、水滴等による腐しょくを防止する措置を講ずること」も義務付けられていて、例えば実公昭６２−３６００号公報に示されるように、合成樹脂材料で成型した容器載置台の上に容器を載せて湿気を防ぐ措置がとられている。
【先行技術文献】
【特許文献】
【０００７】
【特許文献１】特開平６−２１２７１５号公報
【特許文献２】実公昭６２−３６００号公報
【発明の概要】
【発明が解決しようとする課題】
【０００８】
上記の隔壁パネルを建物の壁面と容器の設置箇所としての地面に取り付けるのでは、台風のような強風に対して確実に固定することは難しかった。
【０００９】
つまり、隔壁パネルは文字通り難燃性（通常は鋼板）の矩形の板であり、ガスの漏洩を防ぐ目的からも孔が開けられず、風をその正面から受けると風圧をまともに受けてしまうものである。
【００１０】
そのパネルを取り付ける建物の壁面は、窯業系サイディング等では壁面がもろく、壁面への取付孔の間隔が広い大きな取付金具を用いないと強固に固定できない。
【００１１】
容器の設置箇所としての地面がコンリート基礎であればアンカーボルトで強固に固定できるが、一般住宅で設置箇所がコンリート基礎となっていることは稀である。また、地面が土間であれば、容器載置台とは別に隔壁パネル用の塚石等を埋めなければ強固に固定できない。さらに、地面が土間であれば隔壁パネルとの間隔が変化しガスの漏洩を防ぐことが難しい。
【００１２】
そこで本発明は、建物の壁面がもろく強固に固定できない場合でも大きな取付金具を必要とせず、容器の設置箇所が土間であっても塚石等を埋める必要が無く強風に対して強固に固定でき、確実にガスの漏洩を防ぐことができる、ＬＰガス容器等の隔壁パネルを提供することを目的とする。
【課題を解決するための手段】
【００１３】
請求項１の発明のＬＰガス容器等の隔壁パネルは、ＬＰガス容器等Ｂの設置箇所の地面Ｅに載置する載置土台１を設け、載置土台１は所要数のＬＰガス容器等Ｂをその上に載せ置くことができる大きさで水平方向に広いものであり、ＬＰガス容器等Ｂを載置土台１の上に常時載せ置き、載置土台１の火気を遮る側に相当する端部から垂直方向に側隔壁パネル10を設け、載置土台１と側隔壁パネル10をガスの漏洩を防ぐことができる程度に密着させて固定したものである。
【００１４】
請求項２の発明のＬＰガス容器等の隔壁パネルは、側隔壁パネル10の高さはＬＰガス容器等Ｂの高さとほぼ同一以上とし、側隔壁パネル10の幅はＬＰガス容器等Ｂの直径以上とし、側隔壁パネル10の上方で建物の壁面Ｗ側に壁面取付金具12を設け、壁面取付金具12を建物の壁面Ｗに固定して側隔壁パネル10と建物の壁面Ｗとの隙間を一定に保つようにしたものである。
【００１５】
請求項３の発明のＬＰガス容器等の隔壁パネルは、載置土台１の建物の壁面Ｗ側とは反対側から垂直方向に着脱自在な前隔壁パネル20を設け、載置土台１および側隔壁パネル10と前隔壁パネル20をガスの漏洩を防ぐことができる程度に密着させて固定したものである。
【００１６】
請求項４の発明のＬＰガス容器等の隔壁パネルは、側隔壁パネル10および前隔壁パネル20の上端部から水平方向に着脱自在な屋根隔壁パネル30を設け、側隔壁パネル10および前隔壁パネル20と屋根隔壁パネル30をガスの漏洩を防ぐことができる程度に密着させて固定し、屋根隔壁パネル30と建物の壁面Ｗとの隙間を一定に保つようにしたものである。
【発明の効果】
【００１７】
請求項１の発明によれば、ＬＰガス容器等Ｂを載置土台１の上に常時載せ置き、載置土台１の火気を遮る側に相当する端部から垂直方向に側隔壁パネル10を設け、載置土台１と側隔壁パネル10を固定したことにより、載置土台１には常時重たいＬＰガス容器等Ｂの重さが加わることになり、載置土台１に固定された側隔壁パネル10を塚石等は必要とせずに強固に固定できる。
【００１８】
また、載置土台１の火気を遮る側に相当する端部から垂直方向に側隔壁パネル10を設け、載置土台１と側隔壁パネル10をガスの漏洩を防ぐことができる程度に密着させて固定したから、火気へのガスの漏洩を確実に防ぐことができる。
【００１９】
請求項２の発明によれば、側隔壁パネル10の高さはＬＰガス容器等Ｂの高さとほぼ同一以上とし、側隔壁パネル10の幅はＬＰガス容器等Ｂの直径以上としたことにより、容易に二メートル以上の火気との迂回距離を取れるようなるから、火気へのガスの漏洩の危険に対処できる。
【００２０】
また、側隔壁パネル10の上方で建物の壁面Ｗ側に壁面取付金具12を設け、壁面取付金具12を建物の壁面Ｗに固定して側隔壁パネル10と建物の壁面Ｗとの隙間を一定に保つようにしたことにより、載置土台１に固定された側隔壁パネル10は強固に固定されているから、壁面取付金具12は側隔壁パネル10と建物の壁面Ｗとの隙間を一定に保つようにするものであり、建物の壁面Ｗに強固に固定するような大きな取付金具とする必要が無い。さらに、側隔壁パネル10と建物の壁面Ｗとの隙間は一定に保たれていることにより、側隔壁パネル10が風等により振動することも無いから、その隙間をアルミ製粘着テープ等で容易に塞ぐことができ、火気へのガスの漏洩を確実に防ぐことができる。
【００２１】
請求項３の発明によれば、載置土台１の建物の壁面Ｗ側とは反対側から垂直方向に着脱自在な前隔壁パネル20を設け、載置土台１および側隔壁パネル10と前隔壁パネル20をガスの漏洩を防ぐことができる程度に密着させて固定したから、火気へのガスの漏洩を確実に防ぐことができる。また、より容易に二メートル以上の火気との迂回距離を取れるようなるから、火気へのガスの漏洩の危険に対処できる。
【００２２】
請求項４の発明によれば、側隔壁パネル10および前隔壁パネル20の上端部から水平方向に着脱自在な屋根隔壁パネル30を設け、側隔壁パネル10および前隔壁パネル20と屋根隔壁パネル30をガスの漏洩を防ぐことができる程度に密着させて固定したから、上方に在る火気に対して容易に二メートル以上の迂回距離を取れるようなるから、火気へのガスの漏洩の危険に対処できる。
【００２３】
また、屋根隔壁パネル30と建物の壁面Ｗとの隙間を一定に保つようにしたから、その隙間をアルミ製粘着テープ等で容易に塞ぐことができ、火気へのガスの漏洩を確実に防ぐことができる。
【図面の簡単な説明】
【００２４】
【図１】図１はＬＰガス容器等の隔壁パネルを示す斜視図である。（実施例１）
【図２】図２は図１の正面図である
【図３】図３は図１の右側面図である。
【図４】図４は図１の左側面図である。
【図５】図５は図１の平面図である。
【図６】図６は図１の載置土台を示す図である。
【図７】図７はＬＰガス容器等の隔壁パネルを示す斜視図である。（実施例２）
【発明を実施するための形態】
【００２５】
隔壁パネルを強風に対して強固に固定でき、確実にガスの漏洩を防ぐことができるＬＰガス容器等の隔壁パネルを提供する目的を、ＬＰガス容器等を載置土台の上に常時載せ置き、載置土台の火気を遮る側に相当する端部から垂直方向に側隔壁パネルを設け、載置土台と側隔壁パネルをガスの漏洩を防ぐことができる程度に密着させて固定することで実現した。
【実施例１】
【００２６】
図１は、本発明の第１実施例に係るＬＰガス容器等の隔壁パネルである。
【００２７】
この隔壁パネルは、ＬＰガス（液化石油ガス）容器Ｂやその他の可燃性ガス（例えば水素ガス）容器（それらを含めてＬＰガス容器等という）を、二メートル以上の火気との迂回距離を取れるようにして漏洩の危険に対処するものである。
【００２８】
ＬＰガス容器Ｂには２０kg用と５０kg用があるが、本実施例は５０kg用を２本収納する隔壁パネルを示している。
【００２９】
この隔壁パネルを用いる際の火気の方向は左右いずれかであり、本実施例は右側に火気が存在する場合を示している。隔壁パネルを構成する各部材は対象に形成され、左側に火気が存在する場合には、各構成部材を組み替えることにより対応できるようになっている。
【００３０】
隔壁パネルには、ＬＰガス容器Ｂの設置箇所の地面Ｅに載置する載置土台１を設ける。載置土台１は合成樹脂で成型され、平面視が略長方形の板状であり、所要数のＬＰガス容器Ｂをその上に載せ置くことができる大きさ（本実施例では５０kg用を左右に２本並べて載せ置く大きさ）で水平方向に広いものである。
【００３１】
２本のＬＰガス容器Ｂを載置土台１の上に常時載せ置き、容器の交換時にも１本のＬＰガス容器Ｂは載置土台１の上に載せ置くようにする。２本のＬＰガス容器Ｂを用いるガスの供給方法では、１本は予備であり、常時決まった側のＬＰガス容器Ｂのみを交換するが、本実施例では火気から遠い側のＬＰガス容器Ｂを交換する。
【００３２】
載置土台１の火気を遮る側に相当する端部上面から上方に、側隔壁パネル取付部2aを立ち上げる。側隔壁パネル取付部2aは平面視が略コの字状であり、その外側形状は側隔壁パネル10の内側形状に沿うように形成されている。
【００３３】
載置土台１の側隔壁パネル取付部2aの垂直面には、水平方向に複数の側隔壁パネル取付孔２を設ける。
【００３４】
載置土台１の平面視略長方形の両長辺側に沿って、垂直方向に複数の載置土台固定孔３を設ける。ＬＰガス容器Ｂの設置箇所の地面Ｅが土間の場合には、いずれか複数の載置土台固定孔３を通して地面Ｅに固定ピンを打ち込んで固定する。この固定ピンは、略Ｌの字状で先端の尖った形状であり、ＬＰガス容器Ｂを載置土台１に載せたり降ろす時の衝撃で載置土台１の位置がズレないようにするためのもので、その引き抜き強度はそれほど必要無い。
【００３５】
載置土台１の上面には左右に２個の容器載置部４を設ける。容器載置部４はＬＰガス容器Ｂの底面のスカート部形状に合わせた円形窪みであり、容器載置部４内には複数の水抜き孔５を設ける。
【００３６】
載置土台１の平面視略長方形の両長辺端部は上側が内方に傾斜した傾斜面６とし、傾斜面６はＬＰガス容器Ｂを載置土台１の容器載置部４に載せる際にスカート部が乗り上げやすいようにする。
【００３７】
載置土台１の傾斜面６上端の直内方には係止溝７を設ける。係止溝７は断面略コの字状の細長い溝で、前隔壁パネル20の下端がはまり込むようになっている。
【００３８】
載置土台１の火気を遮る側に相当する端部、つまり側隔壁パネル取付部2aから垂直方向に側隔壁パネル10を設ける。
【００３９】
側隔壁パネル10は、その平面視が略ハット形状の垂直方向に長い板であり、その下端部には水平方向に複数の取付孔11を設ける。側隔壁パネル10の取付孔11と載置土台１の側隔壁パネル取付孔２を通して螺子止めし、載置土台１と側隔壁パネル10をガスの漏洩を防ぐことができる程度に密着させて固定する。
【００４０】
このことにより、載置土台１には常時重たいＬＰガス容器Ｂの重さが加わることになり、載置土台１に固定された側隔壁パネル10を塚石等は必要とせずに強固に固定できる。また、火気へのガスの漏洩を確実に防ぐことができる。
【００４１】
側隔壁パネル10の高さは、ＬＰガス容器Ｂの高さとほぼ同一以上とする。実施例では、ＬＰガス容器Ｂの高さは約142cm、側隔壁パネル10の高さは約151cmとした。側隔壁パネル10の幅は、ＬＰガス容器Ｂの直径以上とする。実施例では、ＬＰガス容器Ｂの直径は約37cm、側隔壁パネル10の幅は約48cmとした。
【００４２】
側隔壁パネル10の上方で建物の壁面Ｗ側に壁面取付金具12を設ける。壁面取付金具12は、その平面視が略Ｌの字形状で、その２面には各々丸孔と長孔を設け、壁面取付金具12の長孔側を側隔壁パネル10に固定し、壁面取付金具12の丸孔側を建物の壁面Ｗに固定する。この壁面取付金具12により、側隔壁パネル10と建物の壁面Ｗとの隙間を一定に保つようにする。
【００４３】
このことにより、容易に二メートル以上の火気との迂回距離を取れるようなるから、火気へのガスの漏洩の危険に対処できる。また、載置土台１に固定された側隔壁パネル10は強固に固定されているから、壁面取付金具12は側隔壁パネル10と建物の壁面Ｗとの隙間を一定に保つようにするものであり、建物の壁面Ｗに強固に固定するような大きな取付金具とする必要が無い。
【００４４】
壁面取付金具12により、側隔壁パネル10と建物の壁面Ｗとの隙間は一定に保たれ、側隔壁パネル10が風等により振動することも無いから、その隙間をアルミ製粘着テープ等で容易に塞ぐことができ、火気へのガスの漏洩を確実に防ぐことができる。建物の壁面Ｗの下方の基礎部分は側隔壁パネル10との隙間が大きくなり、テープ等で塞ぐことが難しいことが予想されるが、その場合は側隔壁パネル10から基礎部分に向けて難燃性で柔軟な薄板を取り付けて大きな隙間を塞ぐようにすると良い。
【００４５】
載置土台１の建物の壁面Ｗ側とは反対側から垂直方向に着脱自在な前隔壁パネル20を設ける。つまり、平面視で側隔壁パネル10と前隔壁パネル20とで略Ｌの字状にＬＰガス容器Ｂを囲むことになる。
【００４６】
前隔壁パネル20は、略矩形の板の四辺を短く折り曲げた薄い箱形状であり、下端となる辺にはさらにＺ形状に短く折り曲げた垂直方向の係止片を設ける。前隔壁パネル20の下端の係止片は、載置土台１の係止溝７にはまり込み、前隔壁パネル20を載置土台１に着脱自在に固定する。
【００４７】
前隔壁パネル20の右側の短く折り曲げた部分は側隔壁パネル10の前端部に重なり、前隔壁パネル20の右側上部の短く折り曲げた部分には水平方向の取付孔21を設け、蝶ボルトを用いて取付孔21を通して前隔壁パネル20を側隔壁パネル10に着脱自在に固定する。
【００４８】
火気に近い側の予備のＬＰガス容器Ｂを交換する際には、着脱自在な前隔壁パネル20を取り外して容易に交換できる。
【００４９】
以上により、載置土台１および側隔壁パネル10と前隔壁パネル20をガスの漏洩を防ぐことができる程度に密着させて固定する。これにより、火気へのガスの漏洩を確実に防ぐことができる。また、略Ｌの字状にＬＰガス容器Ｂを囲むことにより容易に二メートル以上の火気との迂回距離を取れるようなるから、火気へのガスの漏洩の危険に対処できる。
【００５０】
前隔壁パネル20の左側中間上部の短く折り曲げた部分には上取付金具22を設け、載置土台１の左端壁面Ｗ側に下取付金具24を設け、下取付金具24と上取付金具22の間に斜めに筋交い23を設ける。
【００５１】
筋交い23の下端は下取付金具24に対して回動自在に係止され、火気から遠い側のＬＰガス容器Ｂの交換時に筋交い23は下取付金具24に係止されたまま回動して開き、ＬＰガス容器Ｂの出し入れの邪魔にならないようにし、前隔壁パネル20は取り外さなくても良いようにする。
【００５２】
筋交い23の上端は、蝶ボルトを用いて取付孔を通して筋交い23を前隔壁パネル20の上取付金具22に着脱自在に固定する。
【００５３】
前隔壁パネル20の前面には、補強構造としての化粧窪み25を多数設ける。
【実施例２】
【００５４】
図７は、本発明の第２実施例に係るＬＰガス容器等の隔壁パネルである。
【００５５】
この隔壁パネルを用いる際の火気の方向は左右および上方のいずれかであり、本実施例は右側上方に火気が存在する場合を示している。上方の火気とはエアコンの室外機等を想定している。隔壁パネルを構成する各部材は対象に形成され、左側上方に火気が存在する場合には、各構成部材を組み替えることにより対応できるようになっている。
【００５６】
ここで、第１実施例と同じ番号で示しているものは第１実施例と同じであり、説明を省略する。
【００５７】
側隔壁パネル10および前隔壁パネル20の上端部から水平方向に着脱自在な屋根隔壁パネル30を設ける。
【００５８】
屋根隔壁パネル30は、略矩形の板の四辺を短く折り曲げた薄い箱形状であり、屋根隔壁パネル30の短く折り曲げた部分には水平方向の複数の取付孔31を設け、蝶ボルトを用いて取付孔31を通して屋根隔壁パネル30を前隔壁パネル20および側隔壁パネル10に着脱自在に固定する。
【００５９】
火気に近い側の予備のＬＰガス容器Ｂを交換する際には、着脱自在な屋根隔壁パネル30と前隔壁パネル20を取り外して容易に交換できる。
【００６０】
以上により、側隔壁パネル10および前隔壁パネル20と屋根隔壁パネル30をガスの漏洩を防ぐことができる程度に密着させて固定し、屋根隔壁パネル30と建物の壁面Ｗとの隙間を一定に保つようにする。これにより、上方に在る火気に対して容易に二メートル以上の迂回距離を取れるようなるから、火気へのガスの漏洩の危険に対処できる。
【００６１】
また、屋根隔壁パネル30と建物の壁面Ｗとの隙間を一定に保つようにしたから、その隙間をアルミ製粘着テープ等で容易に塞ぐことができ、火気へのガスの漏洩を確実に防ぐことができる。
【００６２】
以上の実施例では、側隔壁パネル10と前隔壁パネル20により火気に対して二メートル以上の迂回距離を取る例を示したが、側隔壁パネル10のみで迂回距離が取れればそれのみを用いても良い。
【００６３】
また、ＬＰガス容器Ｂの５０kg用を左右に２本並べた例を示したが、３本以上としても良いし、その場合には縦横に並べても良い。
【００６４】
また、ＬＰガス容器Ｂの設置箇所の地面Ｅが土間の場合で載置土台固定孔３を通して地面Ｅに固定ピンを打ち込んで固定する例を示したが、地面Ｅがコンリート基礎であればアンカーボルトで固定しても良い。
【符号の説明】
【００６５】
１  載置土台
10  側隔壁パネル
12  壁面取付金具
20  前隔壁パネル
30  屋根隔壁パネル
Ｂ  ＬＰガス容器等
Ｅ  設置箇所の地面
Ｗ  建物の壁面
【図１】
2010175069.tif 000003
【図２】
2010175069.tif 000004
【図３】
2010175069.tif 000005
【図４】
2010175069.tif 000006
【図５】
2010175069.tif 000007
【図６】
2010175069.tif 000008
【図７】
2010175069.tif 000009